(57)【要約】【課題】カッタユニットの前端ハウジングの周壁の内面に刃受具に向けて突出して形成した筒部内の草や芝の詰まりを解消できる刈払機を提供する。【解決手段】刈払機１０は、支持棹１１の前端部に設けたカッタユニット２０とを備え、カッタユニット２０の前端ハウジング２１の周壁下部には刃受具２４に向けて突出して形成され、棒状の工具を挿通可能な筒部２１ｂと、刃受具２４の外周部に形成され、筒部２１ｂから挿通される棒状の工具に係止して回転軸２３ｂの回り止めをするための凹部２４ｅとを設け、筒部２１ｂの周壁下部には下方に開口する開口部２１ｃを形成した。【選択図】図３
2014117262.tif 000002
【特許請求の範囲】
【請求項１】
支持棹と、
前記支持棹の前端部に設けたカッタユニットとを備え、
前記カッタユニットは、前記支持棹の前端部に固定した前端ハウジングと、
前記前端ハウジング内に軸受により回転可能に支持した回転軸と、
前記前端ハウジング内の下部にて前記回転軸の下部に一体的に固定した刃受具と、
前記刃受具の下側に着脱可能に取り付けた回転刃と、
前記回転刃を前記刃受具に押さえつけるための刃押え具と、
前記回転軸の下端部に形成したねじ部に係合して前記回転刃を前記刃受具と前記刃押え具とにより狭持させた状態で前記回転軸に固定するための締結具とを有し、
前記前端ハウジングの周壁下部に前記刃受具に向けて突出して形成され、棒状の工具を挿通可能な筒部と、
前記刃受具の外周部に形成され、前記筒部から挿通される棒状の工具に係止して前記回転軸の回り止めをするための凹部とを設け、
前記筒部の周壁下部には下方に開口する開口部を形成したことを特徴とする刈払機。
【請求項２】
請求項１に記載の刈払機において、
前記前端ハウジングを合成樹脂により形成したことを特徴とする刈払機。
【請求項３】
請求項１または２に記載の刈払機において、
前記凹部が、前記刃受具の外周部に複数形成されたことを特徴とする刈払機。
【発明の詳細な説明】
【技術分野】
【０００１】
本発明は、草や芝等を刈り払う刈払機に関する。
【背景技術】
【０００２】
特許文献１には、支持棹と、支持棹の前端部にカッタユニットとを備えた刈払機が開示されている。この刈払機のカッタユニットにおいては、支持棹の前端部に固定した前端ハウジング内にモータにより回転する回転軸が軸受により回転可能に支持されている。この種の刈払機においては、回転軸の下部には刃受具が一体的に固定されており、刃受具の下側に着脱可能に取り付けた回転刃を刃押え具により押さえつけた状態とし、回転軸の下端部に形成したねじ部にナットを締結することで、回転軸に回転刃が取り付けられている。
【０００３】
この種の刈払機においては、回転刃の交換時に、回転軸を回り止めさせるために、前端ハウジングの周壁には棒状の工具を挿通可能な貫通孔と、刃受具には貫通孔から挿通される棒状の工具が係止する凹部とが形成されている。回転刃を交換するときには、前端ハウジングの周壁の貫通孔から挿通した棒状の工具の先端部を刃受具の凹部に係止させて回転軸を回り止めし、回転軸の下端部のナットを弛めて回転刃を取り外し、新しい回転刃を取り付けて回転軸の下端部にナットを締結する。
【先行技術文献】
【特許文献】
【０００４】
【特許文献１】実開昭６３−０５８５３２号公報
【発明の概要】
【発明が解決しようとする課題】
【０００５】
このような刈払機においては、カッタユニットは前端ハウジング内に電動モータを収容して重くなっているために、前端ハウジングを樹脂部材として軽量化している。前端ハウジングを樹脂部材としたために、前端ハウジングの貫通孔の周縁が挿通した棒状の工具によって破損するおそれがある。これに対応するために、前端ハウジングの周壁の内面に刃受具に向けて突出する筒部を一体的に形成し、棒状の工具を筒部内に挿通して刃受具の凹部に係止させるようにすれば、前端ハウジングの筒部の周縁が破損しにくくなる。しかし、回転刃により刈り払った草や芝が筒部内に詰まることがあり、回転刃の交換時に筒部内に棒状の工具を挿通できないことがあった。本発明は、前端ハウジングの周壁の内面に刃受具に向けて突出して形成した筒部内の草や芝の詰まりを解消できる刈払機を提供することを目的とする。
【課題を解決するための手段】
【０００６】
上記課題を解決するために、本発明は、支持棹と、支持棹の前端部に設けたカッタユニットとを備え、カッタユニットは、支持棹の前端部に固定した前端ハウジングと、前端ハウジング内に軸受により回転可能に支持した回転軸と、前端ハウジング内の下部にて回転軸の下部に一体的に固定した刃受具と、刃受具の下側に着脱可能に取り付けた回転刃と、回転刃を刃受具に押さえつけるための刃押え具と、回転軸の下端部に形成したねじ部に係合して回転刃を刃受具と刃押え具とにより狭持した状態で回転軸に固定するための締結具とを有し、前端ハウジングの周壁下部に刃受具に向けて突出して形成され、棒状の工具を挿通可能な筒部と、刃受具の外周部に形成され、筒部から挿通される棒状の工具に係止して回転軸の回り止めをするための凹部とを設け、筒部の周壁下部には下方に開口する開口部を形成したことを特徴とする刈払機を提供するものである。
【０００７】
上記のように構成した刈払機においては、前端ハウジングの筒部内に回転刃により刈り払った草や芝が詰まっても、筒部の周壁下部に形成した開口部から詰まった草や芝を取り除くことができ、筒部に棒状の工具を挿通できるようになる。上記のように構成した刈払機においては、前端ハウジングを合成樹脂により形成するのが好ましく、このようにしたときには、前端ハウジングを軽量化したうえで上述した作用効果を得ることができる。上記のように構成した刈払機においては、凹部が刃受具の外周部に複数形成されるのが好ましく、このようにしたときには、筒部に挿通した棒状の工具を刃受具の凹部に係止させやすくなる。
【図面の簡単な説明】
【０００８】
【図１】本発明の刈払機の一実施形態を示す斜視図である。
【図２】図１の前端部の縦方向断面図である。
【図３】図２の回転刃を取り外した状態でのＡ−Ａ一部拡大断面図である。
【図４】図１の前端部にてカッタユニットの回転刃を取り外した状態での底面図である。
【図５】刃受具を示す斜視図である。
【発明を実施するための最良の形態】
【０００９】
以下、本発明の刈払機の一実施形態を図面を参照して説明する。以後の説明においては、支持棹１１の先端部のカッタユニット２０を下側となるように傾けた使用状態で説明をする。図１に示したように、刈払機１０は、前後方向に延びる中空の棒状の支持棹１１と、支持棹１１の前端部にカッタユニット２０と、支持棹１１の後端部にコントローラユニット３０とを備えている。
【００１０】
図２に示したように、カッタユニット２０は、主として、前端ハウジング２１と、電動モータ２２と、減速機構２３と、回転刃２５とから構成される。前端ハウジング２１は繊維強化をした合成樹脂よりなる左右のパーツを連結したものであり、２つのパーツを支持棹１１の前端部を挟むようにして支持棹１１の前端部に固定している。前端ハウジング２１の前後方向の中間部には電動モータ２２が収容されている。また、前端ハウジング２１は電動モータ２２の前側位置となる前部に縦型円筒部２１ａを備えており、この縦型円筒部２１ａには減速機構２３が収容されている。図３及び図４に示したように、縦型円筒部２１ａの左右両側部の下部には、縦型円筒部２１ａの軸線方向と直交する方向にて周壁内面から中心軸に向けて突出した筒部２１ｂが一体的に形成されている。筒部２１ｂは後述する刃受具２４に向けて突出し、先端部が刃受具２４の外周部と間隙を設けた位置まで延びている。筒部２１ｂは前端ハウジング２１の外側からレンチ等の棒状の工具を装通して刃受具２４の凹部２４ｅに係止させることで、回転軸２３ｂを回り止めするためのものである。筒部２１ｂの周壁下部には軸線方向の中間部に下方に開口する開口部２１ｃが形成されており、この開口部２１ｃは筒部２１ｂ内に詰まった草や芝を取り除くためのものである。
【００１１】
図２に示したように、電動モータ２２の出力軸２２ａには減速機構２３を構成する減速ギヤ２３ａが係合している。減速ギヤ２３ａは回転軸２３ｂに一体的に固定されており、回転軸２３ｂは前端ハウジング２１の縦型円筒部２１ａに軸受け２３ｃ，２３ｄにより回転可能に支持されている。回転軸２３ｂの先端部には刃受具２４がスプライン係合により一体的に固定されている。図２及び図５に示したように、刃受具２４は回転軸２３ｂに固定したボス部２４ａの下部から半径方向に延びる円板部２４ｂを備えている。円板部２４ｂの下面には回転刃２５に嵌合させる環状突部２４ｃが形成されている。また、刃受具２４の円板部２４ｂの周部には上方に延出する円筒部２４ｄが形成されており、円筒部２４ｄには回り止めのための凹部２４ｅが形成されている。
【００１２】
図２に示したように、刃受具２４の下側には回転刃２５が着脱可能に取り付けられている。回転刃２５は周部に刃部が形成された略円板形状をしている。回転刃２５の中心部には円形孔２５ａが形成されており、回転刃２５の円形孔２５ａは刃受具２４の円板部２４ｂの下面の環状突部２４ｃに嵌合している。回転軸２３ｂの下部には回転刃２５の下側に回転刃２５を刃受具２４に押さえつけるための刃押え具２６が着脱可能に取り付けられている。刃押え具２６は刃受具２４の円板部２４ｂより少し大きな径をした略円板形をし、中央部のボス部２６ａが回転軸２３ｂの先端部にスプライン係合して着脱可能に取り付けられている。
【００１３】
刃押え具２６の下側には回転軸２３ｂの下端部を保護するカバー２７が着脱可能に取り付けられている。カバー２７は刃押え具２６のボス部２６ａの下面に当接した小径の円板部２７ａの周縁部が回転軸２３ｂの下端より下側となるように下方に延出し、さらに外側に湾曲してから刃押え具２６の外周を覆うように上側に延出している。
【００１４】
また、回転軸２３ｂの先端部には雌ねじよりなるねじ部が形成されており、このねじ部にはナット（締結具）２８が係合している。ナット２８は回転刃２５を刃受具２４と刃押え具２６とにより狭持させた状態で回転軸２３ｂに固定し、カバー２７を刃押え具２６に押しつけるようにして回転軸２３ｂに固定するためのものである。
【００１５】
図１に示したように、コントローラユニット３０は、主として、後端ハウジング３１と、制御回路（図示省略）とから構成される。後端ハウジング３１は支持棹１１の後端部に固定されている。後端ハウジング３１の後部にはバッテリーパック３２が着脱可能に取り付けられている。なお、バッテリーパック３２は支持棹１１の内部に配設された図示しないコードによりカッタユニット２０の電動モータ２２に電気的に接続されている。また、後端ハウジング３１の上面には前部にカッタユニット２０の電動モータ２２の回転速度を調整する操作つまみ３３が設けられている。
【００１６】
図１に示したように、支持棹１１の前端部にはカバー４０が設けられている。カバー４０はカッタユニット２０の回転刃２５の後側を覆うものである。支持棹１１の前後方向の中間部にはハンドル４１が固定されている。ハンドル４１は前後方向と交差する左右方向に延び、中間部から上側に湾曲している。ハンドル４１の左右の両端部には作業者が把持するグリップ４２，４２が設けられている。
【００１７】
上記のように構成した刈払機１０は、バッテリーパック３２からの給電によりカッタユニット２０の電動モータ２２を作動させると、出力軸２２ａに係合した減速ギヤ２３ａを介して回転軸２３ｂが回転し、回転軸２３ｂに固定された回転刃２５が回転する。作業者は左右の手でハンドル４１の両グリップ４２，４２を把持し、前端のカッタユニット２０の回転刃２５を地面から生える草や芝に当てることで、草や芝が刈り取られる。
【００１８】
上記のように構成した刈払機１０においては、回転する回転刃２５により草や芝を刈り取ると、回転刃２５の周部の刃部が摩耗するため、回転刃２５を定期的に取り替える必要がある。回転刃２５を交換するするときには、前端ハウジング２１の筒部２１ｂが刃受具２４の凹部２４ｅと対向する位置となるように調整し、前端ハウジング２１の外側から六角レンチ等の棒状の工具を筒部２１ｂ内に挿通し、棒状の工具の先端部を刃受具２４の凹部２４ｅに係止させる。この状態では、刃受具２４が棒状の工具により係止されて回り止めされているので、回転軸２３ｂは刃受具２４を介して回り止めされる。回転軸２３ｂの先端に締結したナット２８をレンチ等の工具を用いて弛め、カバー２７及び刃押え具２６を回転軸２３ｂから取り外す。刃受具２４の環状突部２４ｃに嵌合させた回転刃２５を新しい回転刃２５に交換する。再び、回転軸２３ｂに刃押え具２６及びカバー２７を取り付け、回転軸２３ｂの先端部にナット２８を締結する。
【００１９】
上記のように構成した刈払機１０においては、カッタユニット２０の前端ハウジング２１に電動モータ２２を収容したために、前端ハウジング２１は合成樹脂により成形されて軽量化されている。前端ハウジング２１の筒部２１ｂは外側から挿通した棒状の工具によって前端ハウジング２１の筒部２１ｂの周縁が破損するのを防ぐために設けたものである。この刈払機１０においては、草や芝を刈り払うと、前端ハウジング２１の筒部２１ｂ内に刈り払われた草や芝が詰まることがある。筒部２１ｂの周壁下部には下方に開口する開口部２１ｃが形成されているので、開口部２１ｃから詰まった草や芝を取り出すことができる。これにより、筒部２１ｂにレンチ等の棒状の工具を挿通できるようになる。
【００２０】
上記のように構成した刈払機においては、刃受具２４の円筒部２４ｄには周方向の１箇所に凹部２４ｅを形成した。本発明はこれに限られるものでなく、円筒部２４ｄの周方向に２箇所以上に凹部２４ｅを形成してもよい。このようにしたときには、筒部２１ｂを挿通した棒状の工具が刃受具２４の複数の凹部２４ｅの何れかに係止させればよいので、筒部２１ｂに挿通した棒状の工具を凹部２４ｅに係止させやすくなる。
【００２１】
上記のように構成した刈払機１０においては、カッタユニット２０には前端ハウジング２１内に回転刃２５を回転させる電動モータ２２を収容した。本発明はこれに限られるものでなく、後端ハウジング３１に電動モータまたはエンジン等の原動機を収容し、原動機の駆動を支持棹１１内に介装した駆動軸によりカッタユニット２０の回転刃２５に伝達させるようにしたものであっても同様の作用効果を得ることができる。
【００２２】
上記のように構成した刈払機１０においては、電動モータ２２の出力軸２２ａの先端部に係合した減速歯車２３ａを介して回転軸２３ｂを回転させるようにしたが、本発明はこれに限られるものでなく、電動モータ２２の出力軸２２ａを本願特許請求の範囲に記載した回転軸として用いたものであっても同様の作用効果を得ることができる。
【符号の説明】
【００２３】
１０…刈払機、１１…支持棹、２０…カッタユニット、２１…前端ハウジング、２１ｂ…筒部、２１ｃ…開口部、２３ｂ…回転軸、２４…刃受具、２４ｅ…凹部、２５…回転刃、２６…刃押え具、２８…締結具（ナット）。
【図１】
2014117262.tif 000003
【図２】
2014117262.tif 000004
【図３】
2014117262.tif 000005
【図４】
2014117262.tif 000006
【図５】
2014117262.tif 000007